(57)【要約】【課題】雨天等の必要時に車椅子に利用者が着座したまま、また、介護者が車椅子に後でハンドルを握った状態で、極めて簡単に装着及び取り外しが出来、車椅子の利用者及び介護者が雨や雪に濡れない車椅子用雨よけカバー補助機を提供する。【解決手段】平面視略コ字型の枠体から成る基枠１を設け、基枠１の四隅の下面にキャスター２を設け、基枠１の開口した個所を後部とし、反対側を前部とし、基枠１は、車椅子Ｂを基枠１の後部から基枠１内に入れた際、基枠１の後部が車椅子Ｂの後端より後方に突出する大きさとし、基枠１上に、車椅子Ｂの前面、天面、左右側面を規定する枠体１３を立設し、枠体１３の前面、天面及び左右側面に雨よけカバー１５を被せ、雨よけカバー１５の天面及び左右側面は、基枠１内に入れた車椅子Ｂの後端より後方に突出させた。【選択図】図１
0003180602.tif 000002
【実用新案登録請求の範囲】
【請求項１】
平面視略コ字型の枠体から成る基枠を設け、当該基枠の四隅の下面にキャスターを夫々設け、
当該基枠の開口した個所を後部とし、反対側を前部とし、当該基枠は、車椅子を当該基枠の後部から基枠内に入れた際、基枠の後部が車椅子の後端より後方に突出する大きさとし、
当該基枠上に、当該基枠内に入れた車椅子を被覆可能な大きさであって、車椅子の前面、天面、左右側面を規定する支持枠体を立設し、
当該支持枠体に支持されて当該支持枠体の前面、天面及び左右側面に雨よけカバーを被せて固定し、当該雨よけカバーの天面及び左右側面は、前記基枠内に入れた車椅子の後端より後方に突出し、
前記支持枠体の左右側面内側に、前記基枠内に入れた車椅子と係止自在な手段を突出自在又は着脱自在に設けたことを特徴とする、車椅子用雨よけカバー補助機。
【請求項２】
前記支持枠体は、前記基枠の左右両側部に立設した２本の支柱と、当該２本の支柱の上に設けた天面枠及び当該天面枠の前端から前記基枠の前端縁まで設けた前面枠から成る枠体とにより構成されていることを特徴とする、前記請求項１に記載の車椅子用雨よけカバー補助機。
【請求項３】
前記支持枠体の左右側面内側に設けられ、前記基枠内に入れた車椅子と係止自在な手段は、前記２本の支柱間に着脱自在に設けた水平部を有するハンドル固定体と前記車椅子の介護者が持つハンドルとを相互に係止する構成としたことを特徴とする、前記請求項１、２に記載の車椅子用雨よけカバー補助機。
【請求項４】
前記基枠の左右両側の一対の各キャスターに沿ってアウトリガーを下方へ突出自在に設けたことを特徴とする、前記請求項１、２又は３の何れかに記載の車椅子用雨よけカバー補助機。
【請求項５】
前記キャスターは、前輪２つ又は後輪２つを周囲全方向に回転自在に設けたことを特徴とする、前記請求項１、２、３又は４の何れかに記載の車椅子用雨よけカバー補助機。
【請求項６】
前記左右側面の雨よけカバーは、全面又は一部を多数の通風孔を有するものとしたことを特徴とする、前記請求項１、２、３、４又は５の何れかに記載の車椅子用雨よけカバー補助機。
【請求項７】
前記前面及び天面の雨よけカバーは、全面又は一部が透明となっていることを特徴とする、前記請求項１、２、３、４、５又は６の何れかに記載の車椅子用雨よけカバー補助機。
【考案の詳細な説明】
【技術分野】
【０００１】
この考案は、車椅子を内側に入れて一体に移動することが出来る雨よけのためのカバー補助機に関するものである。
【背景技術】
【０００２】
従来、例えば、空港等において、乗客が航空機に乗機する際は、ターミナルビルと航空機の間に設けられた橋状構造物（ボーディング・ブリッジ）やタラップを使用して行われる。前記橋状構造物を使用した際は降雨の時にも濡れる様なことは無いが、タラップを使用した場合は、大空港なら構内バスでの移動となるが、地方の小空港の場合、タラップからターミナルビルまで歩くことも多く、降雨の際には濡れてしまうことも有る。特に、車椅子を利用した乗客の場合、どうしても雨に濡れ易く、健康上も不安が残り、また、せっかくの旅行も台無しとなることがある。
【０００３】
また、このことは空港に限らず、通常街中でも、降雨の際や降雪の際、介護者は、片手で傘をさし、片手で車椅子を押すと言う状態であり、風や路面の凹凸状況に影響を受け易く、操作面及び安全面に危険が生じていた。もちろん、この様にしても、車椅子の利用者や介護者が完全に雨に濡れないわけではない。
【０００４】
車椅子の利用者及び介護者にとって、より安全に、雨よけ出来るものとして、特許文献１に記載された車椅子カバーが開発されている。この車椅子カバーは、車椅子の後側のハンドルを成す２本の支柱に、夫々屋根ささえ棒を取り付け、これらの屋根ささえ棒の前後に屋根用心棒を水平に突出させ、これらの上方から車椅子、車椅子利用者と介護者をすっぽり覆う、カバーを被せたものである。
【０００５】
また、特許文献２に記載されたものは、やはり、車椅子の後ろ側の２本の支柱に、夫々別途設けた支柱を夫々立設して固定し、これらの支柱の上部において、車椅子利用者用として前方へ、介護者用として後方へ夫々ロール式屋根を一定長引き伸ばして雨よけ日よけとしたものである。
【先行技術文献】
【特許文献】
【０００６】
【特許文献１】実開昭６４−２０８２４号公報
【特許文献２】実開平  ７−３７１４１号公報
【考案の概要】
【考案が解決しようとする課題】
【０００７】
しかしながら、前記特許文献１の車椅子カバー及び前記特許文献２の車椅子用ロール、ルーフでは、車椅子の後側の支柱とカバー等を支持する支柱を固定しているが、これらの固定は、途中で支柱が外れたりしないようにネジで強固に固定されたものとなっている。
【０００８】
それ故、必要時に簡単に、車椅子に装着出来、不要になった時には簡単に車椅子から外せるといったものではない。例えば、雨天時に空港で車椅子の利用者が航空機に乗り込むための移動の際に、簡単に装着出来、航空機の前まで来たら簡単に外せるといったものではない。
【０００９】
また、前記特許文献１、２の車椅子用カバーは、どちらも車椅子に取り付けているので、これらのカバー等の荷重が車椅子にかかり、当該車椅子を押している介護者に新たな負担がかかることになる。
【００１０】
この考案は、これらの点に鑑みて為されたもので、雨天等の必要時に車椅子に利用者が着座したまま、また、介護者が車椅子の後でハンドルを握った状態で、極めて簡単に装着及び取り外しが出来、車椅子の利用者及び介護者が雨や雪に濡れない車椅子用雨よけカバー補助機を提供して前記課題を解決するものである。 
【課題を解決するための手段】
【００１１】
請求項１の考案は、平面視略コ字型の枠体から成る基枠を設け、当該基枠の四隅の下面にキャスターを夫々設け、当該基枠の開口した個所を後部とし、反対側を前部とし、当該基枠は、車椅子を当該基枠の後部から基枠内に入れた際、基枠の後部が車椅子の後端より後方に突出する大きさとし、当該基枠上に、当該基枠内に入れた車椅子を被覆可能な大きさであって、車椅子の前面、天面、左右側面を規定する支持枠体を立設し、当該支持枠体に支持されて当該支持枠体の前面、天面及び左右側面に雨よけカバーを被せて固定し、当該雨よけカバーの天面及び左右側面は、前記基枠内に入れた車椅子の後端より後方に突出し、前記支持枠体の左右側面内側に、前記基枠内に入れた車椅子と係止自在な手段を突出自在又は着脱自在に設けた、車椅子用雨よけカバー補助機とした。
【００１２】
請求項２の考案は、前記支持枠体は、前記基枠の左右両側部に立設した２本の支柱と、当該２本の支柱の上に設けた天面枠及び当該天面枠の前端から前記基枠の前端縁まで設けた前面枠から成る枠体とにより構成されている、前記請求項１に記載の車椅子用雨よけカバー補助機とした。
【００１３】
請求項３の考案は、前記支持枠体の左右側面内側に設けられ、前記基枠内に入れた車椅子と係止自在な手段は、前記２本の支柱間に着脱自在に設けた水平部を有するハンドル固定体と前記車椅子の介護者が持つハンドルとを相互に係止する構成とした、前記請求項１、２に記載の車椅子用雨よけカバー補助機とした。
【００１４】
請求項４の考案は、前記基枠の左右両側の一対のキャスターに沿ってアウトリガーを下方へ突出自在に設けた、前記請求項１、２又は３の何れかに記載の車椅子用雨よけカバー補助機とした。
【００１５】
請求項５の考案は、前記キャスターは、前輪２つ又は後輪２つを周囲全方向に回転自在に設けた、前記請求項１、２、３又は４の何れかに記載の車椅子用雨よけカバー補助機とした。
【００１６】
請求項６の考案は、前記左右側面の雨よけカバーは、全面又は一部を多数の通風孔を有するものとした、前記請求項１、２、３、４又は５の何れかに記載の車椅子用雨よけカバー補助機とした。また、請求項７の考案は、前記前面及び天面の雨よけカバーは、全面又は一部が透明となっている、前記請求項１、２、３、４、５又は６の何れかに記載の車椅子用雨よけカバー補助機とした。
【考案の効果】
【００１７】
請求項１、２、３、４、５、６及び７の各考案を用いれば、まず、降雨や降雪の際、車椅子の利用者及び介護者双方は雨に濡れずに簡単に移動することが出来る。また、利用者が車椅子に乗ったまま、車椅子用雨よけカバー補助機の中に車椅子を入れて装着したり、この車椅子用雨よけカバー補助機から車椅子を出して外すこととしたので、車椅子に簡単に着脱が出来る。
【００１８】
また、この車椅子用雨よけカバー補助機には、キャスターを設けており、車椅子用雨よけカバー補助機と車椅子とは、前記補助機の左右側面の内側に突出自在又は着脱自在に設けた係止手段によって一体化されるため、介護者はほぼ通常通り、車椅子の後からハンドルを両手で押すだけで円滑に移動出来るので操作上も簡単であり、新たな負担も少ない。さらに、既存の車椅子をそのまま使用出来るので汎用性も高い。これらのことから、本願考案の車椅子用雨よけカバー補助機は、極めて使い勝手が良いものである。
【００１９】
さらに、請求項２の考案によれば、前記支持枠体は、前記基枠の左右両側部に立設した２本の支柱と、当該２本の支柱の上に設けた天面枠及び当該天面枠の前端から前記基枠の前端縁まで設けた前面枠から成る枠体とにより構成されているので、雨よけカバーの被覆固定を安定良くしっかりと行うことが出来るものである。
【００２０】
また、請求項３の考案によれば、前記支持枠体の左右側面内側に設けられ、前記基枠内に入れた車椅子と係止自在な手段は、前記２本の支柱間に着脱自在に設けた水平部を有するハンドル固定体と前記車椅子の介護者が持つハンドルとを係止する構成としたので、車椅子用雨よけカバー補助機と車椅子は車椅子のハンドル部分で一体化するため、車椅子と雨よけカバー補助機との連結が極めて容易である。また、介護者がハンドルを持ってこれらを操作し易い。
【００２１】
請求項４の考案によれば、前記基枠の左右両側の一対のキャスターに沿ってアウトリガーを下方へ突出自在に設けたので、このアウトリガーを使えば、車椅子用雨よけカバー補助機の中に車椅子を入れる際、また、外に出す際も、当該車椅子用雨よけカバー補助機が勝手に移動することが無く、安心して、かつ円滑に車椅子の出し入れが出来るものである。
【００２２】
請求項５の考案によれば、前記キャスターは、前輪又は後輪を周囲全方向に回転自在に設けたので、当該車椅子用雨よけカバー補助機を操作し易いものとなっている。
【００２３】
請求項６の考案によれば、前記車椅子用雨よけカバー補助機の左右両側面の雨よけカバーは、全面又は一部を多数の通風孔を有するものとしたので、特に、空港などで、突発的な横風を受けても、この風圧をうまく内側に取り入れ、また、外側へ出すことが出来、車椅子用雨よけカバー補助機が倒れる様なことがない。
【００２４】
請求項７の考案によれば、前記車椅子用雨よけカバー補助機の雨よけカバーの前面、天面を全面又は一部を透明にしたので、視界が確保出来て前方が良く見え、安全な走行が出来、自身の位置も分かり、便利である。また、前面及び天面の一部のみ透明とした場合、夏季等の日差しが強い時期には日よけとすることが出来、便利である。
【図面の簡単な説明】
【００２５】
【図１】この考案の実施例の車椅子用雨よけカバー補助機を車椅子に取り付けて利用者が車椅子に乗り、介護者と共に使用している状態であって、メッシュシートの一部を省略した側面図である。
【図２】この考案の実施例の車椅子用雨よけカバー補助機のメッシュシートの一部を省略した側面図である。
【図３】この考案の実施例の車椅子用雨よけカバー補助機の雨よけカバーを外した状態の正面図である。
【図４】この考案の実施例の車椅子用雨よけカバー補助機の雨よけカバーを外した状態の平面図である。
【図５】この考案の実施例の車椅子用雨よけカバー補助機の雨よけカバーを外した状態の斜視図である。
【図６】この考案の実施例の車椅子用雨よけカバー補助機の雨よけカバーを外した状態で、かつハンドル固定体を取り付ける様子を示した後方からの斜視図である。
【図７】この考案の実施例の車椅子用雨よけカバー補助機のアウトリガーの突出及び引き込みの操作の仕組みを説明した概略図である。
【図８】この考案の実施例の車椅子用雨よけカバー補助機のアウトリガーの構成を示した一部正面図である。
【図９】この考案の実施例の車椅子用雨よけカバー補助機のハンドル固定体の突出片と車椅子の左右の突出したハンドルとを並べて当接させ、面ファスナーを設けたベルトによって固定した状態の一部概略平面図である。
【考案を実施するための形態】
【００２６】
この考案の車椅子用雨よけカバー補助機は、平面視略コ字型の枠体から成る基枠を設け、当該基枠の四隅の下面にキャスターを夫々設け、当該基枠の開口した個所を後部とし、反対側を前部とし、当該基枠は、車椅子を当該基枠の後部から基枠内に入れた際、基枠の後部が車椅子の後端より後方に突出する大きさとし、当該基枠上に、当該基枠内に入れた車椅子を被覆可能な大きさであって、車椅子の前面、天面、左右側面を規定する支持枠体を立設し、当該支持枠体に支持されて当該支持枠体の前面、天面及び左右側面に雨よけカバーを被せて固定し、当該雨よけカバーの天面及び左右側面は、前記基枠内に入れた車椅子の後端より後方に突出し、前記支持枠体の左右側面内側に、前記基枠内に入れた車椅子と係止自在な手段を突出自在又は着脱自在に設けた。
【００２７】
この車椅子用雨よけカバー補助機を車椅子に装着することにより、車椅子の利用者及び介護者双方は濡れずに簡単に移動することが出来、また、利用者が車椅子に乗ったまま、車椅子用雨よけカバー補助機の中に車椅子を入れて装着し、この車椅子用雨よけカバー補助機から車椅子を出して外すこととしたので、車椅子に簡単に着脱が出来る。また、この車椅子用雨よけカバー補助機には、キャスターを設けており、車椅子用雨よけカバー補助機と車椅子とは、前記補助機の左右側面の内側に突出自在又は着脱自在に設けた係止手段によって一体化されるため、介護者はほぼ通常通り、車椅子の後から両手で押すだけで円滑に移動出来るので操作上も簡単であり、新たな負担も少なく、極めて使い勝手が良いものである。
【実施例】
【００２８】
以下、この考案の実施例の車椅子用雨よけカバー補助機を図に基づいて説明する。この実施例の車椅子用雨よけカバー補助機Ａは、図２、図３及び図４に示す様に、平面視コ字型の枠体から成る基枠１の四隅の下面にキャスター２を夫々設けている。ここでは、当該基枠１の開口した個所を後部とし、その反対側を前部とする。また、後側のキャスター２ｂ、２個を周囲全方向に回転自在な、いわゆる自在型のキャスターとしており、前側のキャスター２ａ、２個は、自在型ではなく、通常の走行方向が固定されたものとしている。
【００２９】
また、前側のキャスター２ａは、図３及び図４に示す様に、アウトリガー３を設けるため、後側のキャスター２ｂよりキャスター同士の間隔を短く設けている。さらに、この基枠１のコ字型枠体の相対向する各両側部１ａの後部上面から一定長の支柱４を夫々立設している。
【００３０】
また、図５及び図６に示す様に、前記立設している２本の支柱４の中間よりやや下の位置に後側に、当該支柱４に沿って短筒体４ａを夫々設けている。これらの短筒体４ａの上端の位置は、後述する車椅子Ｂを車椅子用雨よけカバー補助機Ａの中に入れた際、この車椅子Ｂの介護者Ｃが押す左右に突出したハンドルとおよそ同じ高さとしている。
【００３１】
さらに、別途、下向きコ字型であって、水平部１２ａに移動自在な突出片１２ｂを２つ設けたハンドル固定体１２を設けている。これらの突出片１２ｂには、予め面ファスナー（図示省略）が内面に設けられた帯状のベルト１２ｃが夫々取り付けられている（図９参照）。ただ、このベルト１２ｃは各突出片１２ｂに予め取り付けられていなくてもよく、車椅子との接続の際、車椅子のハンドルと突出片１２ｂを一体に巻き付けてこれらを固定するものである。このハンドル固定体１２の突出した両端を下向きにして、前記２本の支柱４の各短筒体４ａに嵌め入れることにより、このハンドル固定体１２を２本の支柱４に取り付けることが出来るようになっている。
【００３２】
さらに、平面視四角形状であって、側面視がく字状に折れ曲がった形状の枠体１３を設け、この枠体１３の折曲部１３ａよりやや後側の水平な天面枠を、前記２本の支柱４の上部で支持し、当該枠体１３の折曲部１３ａより前方の傾斜した前面枠の前端縁を前記基枠１の前端縁よりやや上の位置で固定して設けている。また、この枠体１３内には、横方向に複数の棒体１３ｂを一定間隔で平行に設けている。さらに、図５及び図６に示す様に、この枠体１３は、折曲部１３ａを境にして後側の天面枠となる部分が前面に位置する前面枠の部分よりも短くなっている。また、この枠体１３と支柱１４とで、支持枠体を構成している。
【００３３】
前記枠体１３の上方から基枠１までの前面枠及び枠体１３の天面枠に透明なビニル製の雨よけカバー１５を被せ、基枠１の前端、枠体１３の両側縁及び後端で固定している。また、前記雨よけカバー１５の両側端縁と接合したメッシュシート１４を左右の両側面全面に被せて基枠１の両側縁に固定して車椅子用雨よけカバー補助機Ａを設けている。
【００３４】
この様に左右の両側面をメッシュシート１４としているのは、メッシュの網目を小さくすると雨よけとなるばかりでなく、例えば、突発的に横から強風が吹いた際、それをまともに受けて車椅子用雨よけカバー補助機Ａと共に車椅子Ｂが転倒する可能性があったが、メッシュシート１４にしておくと、前記強風の一部を内側に通し、反対側から逃がすなどして風圧を円滑に調整することが出来るためである。
【００３５】
さらに、前記基枠１の前側の各キャスター２ａの外側にアウトリガー３を下方へ突出自在に設けている。図２及び図７に示す様に、前記基枠１の右側の側部１ａ上の後部に設けたフレーム固定金具５ａにアウトリガー３の突出を操作するレバー５の下端を回動自在に軸支して設け、このレバー５の略真中あたりに、前記側部１ａの上方であって、この側部１ａと平行に棒状の延長リンク６の一端を軸支し、当該延長リンク６を前記前側のキャスター２ａの上方脇まで伸ばして設けている。
【００３６】
前記前側のキャスター２ａが設けられている両側部１ａの略先端の夫々の外側に板状の固定板７を立設して設けており、これら２つの固定板７には、当該固定板７間に水平に設けられた左右連結シャフト１１の両端部が、当該２つの固定板７の上部を貫通して一部外側に夫々突出して各固定板７に対して回転自在に設けられている。前記延長リンク６の先端を上部で軸支した右側のトグルリンク８の中部と前記左右連結シャフト１１の一端１１ａとを固定しており、また、このトグルリンク８の下部と、リンク９の上部を相互に軸支している。
【００３７】
また、前記リンク９の下部と地面を支持する脚部１０の上部を軸支しており、前記トグルリンク８の中部から突出した左右連結シャフト１１の端部１１ａに収縮スプリング７ａの上端を係止し、前記脚部１０の上部の軸支部に前記収縮スプリング７ａの下端を係止してこれらを繋いでいる。また、脚部１０は、固定板７の下部に設けられた短管７ｂ内を上下方向に移動自在に挿通して設けられている。これらの構造により、前記固定板７上において、前記脚部１０は、常時、収縮スプリング７ａの付勢により上方へ引っ張られて上下方向に移動自在となっている。しかしながら、脚部１０が着地状態では、リンク９が脚部１０とともにほぼ垂直状になっているため、収縮スプリング７ａの力によっても動かず、脚部１０は着地状態を維持している。また、この状態では、トグルリンク８は、トグルリンク８がさらに、反時計方向に回動しようとしても、固定板７上に設けられたストッパ７ｃに動きを阻まれて回動不能となっている。
【００３８】
図７に示す様に、アウトリガー３を着地させている状態（図面の左側）で、前記レバー５を前に倒すと、延長リンク６が前へ進み、トグルリンク８が固定板７の貫通孔を中心に、当該左右連結シャフト１とともに固定板７上で時計方向に回動してリンク９が連動して当該リンク９の下端の軸支部を持ち上げ、当該リンク９の上下方向の立設を解き、収縮スプリング７ａによって引っ張られて脚部１０を短管７ｂ内を上方へ上げ、これにより、アウトリガー３は上方へ引き上げられる（図面の右側）。
【００３９】
また、左側のアウトリガー３も略同様の構成であるが、左側のアウトリガー３は、図８に示す様に、左側のトグルリンク８の動きと一体に回動する左右連結シャフト１１によって、当該トグルリンク８と同様に、左右連結シャフト１１と固定された右側のトグルリンク８´が前記トグルリンク８の下部と同様の動きをすることにより、トグルリンク８´が固定板７上で当該固定板７の貫通孔を中心に回動してリンク９が連動して当該リンク９の下端の軸支部を持ち上げ、当該リンク９の上下方向の立設を解き、収縮スプリング７ａによって脚部１０を短管７ｂ内を上方へ上げ、これにより、アウトリガー３は上方へ引き上げられる。
【００４０】
次に、この車椅子用雨よけカバー補助機Ａを使用する様子を説明する。まず、この車椅子用雨よけカバー補助機Ａのアウトリガー３を操作するレバー５を操作してアウトリガー３を下方に着地させ、この車椅子用雨よけカバー補助機Ａが勝手に移動しないようし、ハンドル固定体１２を２本の支柱４の短筒体４ａから抜いて外す。そして、この車椅子用雨よけカバー補助機Ａの雨よけカバー１５の無い後面から利用者Ｄが乗ったまま介護者Ｃが押して車椅子Ｂを中に入れる。この時、この車椅子Ｂを押す介護者Ｃが握る車椅子Ｂのハンドルの位置が２本の支柱４の位置に来るようにしておく。
【００４１】
この後、前記外したハンドル固定体１２の両端を、前記２つの突出片１２ｂを前側にし、また、これらの突出片１２ｂをある程度、水平部１２ａの両端側（外側）に位置させて、突出した両端を２本の支柱４の短筒体４ａに嵌め入れて取り付ける。そして、図９に示す様に、ハンドル固定体１２の２つの突出片１２ｂを両端側から内側に移動させて車椅子Ｂのハンドル３０と並べて当接させ、突出片１２ａのベルト１２ｃを車椅子Ｂの左右の各ハンドル３０と各突出片１２ｂに巻き回して、面ファスナーによって固定する。
【００４２】
その後、車椅子用雨よけカバー補助機Ａの前記レバー５を解除して、アウトリガー３を引いてキャスター２ａを着地させ、介護者Ｃは、ハンドル固定体１２の後から、当該ハンドル固定体１２を押すことにより、車椅子用雨よけカバー補助機Ａが車椅子Ｂと一体と成って自身のキャスター２が回転して容易に移動する。この際、利用者Ｄ及び介護者Ｃは、雨よけシートの下に入っているので雨に濡れるようなことはない。
【００４３】
また、目的地に着いて、この車椅子用雨よけカバー補助機Ａを外す際は、まず、レバー５を操作してアウトリガー３を着地させて、この車椅子用雨よけカバー補助機Ａが勝手に移動しないように固定し、その後、ハンドル固定体１２の突出片１２ａと車椅子Ｂのハンドル３０の固定を解き、ハンドル固定体１２を外して、利用者Ｄが車椅子Ｂに乗ったまま当該車椅子Ｂをこの車椅子用雨よけカバー補助機Ａの後面からバックで出せば容易に装着は解除される。
【００４４】
また、この車椅子用雨よけカバー補助機Ａを使用しない時には、もちろん、前記アウトリガー３を出してキャスター２ａが回転しないようにする方法でも良いが、しばらく使用しないことが分かっているならば、前後のキャスター２に車輪止めをあてがっておけばよい。
【００４５】
前記実施例によれば、車椅子Ｂを車椅子用雨よけカバー補助機Ａに固定するのに、ハンドル固定体１２、突出片１２ａ等を使用して行っているが、車椅子Ｂを車椅子用雨よけカバー補助機Ａに固定する手段は、これらに限らず、車椅子用雨よけカバー補助機Ａの左右側面内面に、車椅子の側部と係止自在な係止手段を突出自在に設けても良い。また、車椅子Ｂのハンドルは、前記実施例のものは、左右後方へ突出しているが、これに限らず、左右のハンドルの先端が連結されたものもある。この場合も、前記ハンドル固定体で固定できる。すなわち、前記連結部へ至る手前の個所は左右後方へ突出しているため、これらの部分と２つの突出片１２ａに前記ベルト１２ｃを巻き付けて固定すれば良い。又は前記連結部とハンドル固定体１２の水平部１２ａとが並行するため、この並行した両者の外周にベルト１２ｃを巻き付けても良い。
【００４６】
また、後側のキャスター２ｂを２つ、自在型のキャスターとしているが、車椅子用雨よけカバー補助機Ａを旋回させる際、あまり大きな力を必要としないで済む。また、逆に、前側のキャスター２ａを自在型のものとした場合、車椅子用雨よけカバー補助機Ａの操作性能が良くなる。これらは、必要に応じて選択すれば良い。
【００４７】
さらに、前記アウトリガー３に代えて車椅子用雨よけカバー補助機Ａにブレーキを設けても良い。
【００４８】
また、前記車椅子用雨よけカバー補助機Ａの雨よけカバー１５の天面及び前面を全面、透明としているが、天面を一部のみ透明とし、また、前面も一部のみを透明とし、その他の部分を濃い有色のものとすれば、夏季の日差しが強いときに日よけとすることが出来、便利である。
【００４９】
前記車椅子用雨よけカバー補助機Ａの左右の両側面を全面、メッシュシート１４にしたので、前記横風対策にもなり、さらに、夏季等の熱い時期に、車椅子用雨よけカバー補助機Ａ内に熱が籠るのを防ぐことが出来る。また、この様に左右の両側面をメッシュシート１４としているが、このメッシュシート１４に代えて、多数の通風孔を有する雨よけカバーにしても良い。
【００５０】
また、この考案の車椅子用雨よけカバー補助機を車椅子に使用せず、雨天等の際に、傘をさすことが出来ない負傷者、障碍者、幼児等が当該補助機の中に入って歩行することもできる。その場合、ハンドル固定体１２を取り付けて、当該ハンドル固定体１２に手をかけて操作しながら、当該補助機を走行させて歩行する。これにより、雨等にぬれずに歩行できる。
【符号の説明】
【００５１】
Ａ    車椅子用雨よけカバー補助機
Ｂ    車椅子              Ｃ    介護者
Ｄ    （車椅子の）利用者
１    基枠                ２    キャスター
２ａ  前側のキャスター    ２ｂ  後側のキャスター
３    アウトリガー        ４    支柱                ５    レバー
６    延長リンク          ７    固定板              
７ａ  収縮スプリング      ７ｂ  短管                ７ｃ  ストッパ
８    トグルリンク        ８´  トグルリンク        ９    リンク
１０    脚部              １１    左右連結シャフト
１２    ハンドル固定体    １２ａ  水平部            １２ｂ  突出片
１２ｃ  ベルト            １３    枠体  
１４    メッシュシート    １５    雨よけカバー
３０    ハンドル
【図１】
0003180602.tif 000003
【図２】
0003180602.tif 000004
【図３】
0003180602.tif 000005
【図４】
0003180602.tif 000006
【図５】
0003180602.tif 000007
【図６】
0003180602.tif 000008
【図７】
0003180602.tif 000009
【図８】
0003180602.tif 000010
【図９】
0003180602.tif 000011